(57)【特許請求の範囲】
【請求項１】
ガンマ線検出器と、ベータ線検出器と、前記ガンマ線検出器の検出値と前記ベータ線検出器の検出値に基づいて所定の核種の濃度を演算する濃度演算部を有する放射性物質のモニタリング装置であって、
前記濃度演算部は、前記ガンマ線検出器からのガンマ線とベータ線を放出する第１の核種のエネルギースペクトルデータに基づいて前記第１の核種の濃度を演算し、前記第１の核種の濃度からベータ線への換算計数を用いて前記第１の核種のベータ線のエネルギースペクトルデータを推定し、前記ベータ線検出器の検出値に基づくエネルギースペクトルデータのうちの第２の核種に寄与する部分から前記第２の核種のエネルギースペクトルデータを推定し、前記ベータ線検出器の検出値に基づくエネルギースペクトルデータから前記推定された第１の核種のエネルギースペクトルデータと前記推定された第２の核種のエネルギースペクトルデータを除くことで、第３の核種の濃度を演算し、
前記第１の核種は、少なくともカリウム４０(K-40)、セシウム１３４(Cs-134)、セシウム１３７(Cs-137)であり、前記第２の核種は、少なくともストロンチウム９０(Sr-90)またはイットリウム９０(Y-90)であり、前記第３の核種は、トリチウム(H-3)であることを特徴とする放射性物質のモニタリング装置。
【請求項２】
請求項１に記載の放射性物質のモニタリング装置において、ベータ線検出器の波高値スペクトルを測定し、一定の波高値以上の計数率を測定することを特徴とする放射性物質のモニタリング装置。
【請求項３】
請求項１又は２のいずれかに記載の放射性物質のモニタリング装置において、ベータ線検出器の波高値スペクトルにおいて、トリチウム(H-3)の最大波高値以上の波高値データにおける計数率を測定することを特徴とする放射性物質のモニタリング装置。
【請求項４】
請求項１乃至３のいずれかに記載の放射性物質のモニタリング装置において、ベータ線検出器の検出素子部と測定対象の間に膜状の遮光兼遮蔽部分を設け、請求項１に示すトリチウム(H-3)の最大エネルギーのベータ線の飛程以上の厚さの膜状の遮光兼遮蔽部分とすることを特徴とする放射性物質のモニタリング装置。
【請求項５】
請求項１乃至４のいずれかに記載の放射性物質のモニタリング装置において、ベータ線検出器の検出素子部に測定対象とするベータ線の最大エネルギーにおける飛程と同程度の厚さのプラスチックシンチレータまたはシリコン半導体検出器を用いることを特徴とする放射性物質のモニタリング装置。
【請求項６】
請求項１乃至５のいずれかに記載の放射性物質のモニタリング装置において、ガンマ線検出器として、Ge半導体検出器、CdTe半導体検出器、または、CZT半導体検出器等の半導体検出器、または、NaIシンチレーション検出器、BGOシンチレーション検出器、LaBr3(Ce)シンチレーション検出器、または、CsI(Tl)シンチレーション検出器等のシンチレーション検出器を用いることを特徴とする放射性物質のモニタリング装置。
【請求項７】
請求項１乃至６のいずれかに記載の放射性物質のモニタリング装置において、測定対象が海水、河川または井戸水であることを特徴とする放射性物質のモニタリング装置。
【請求項８】
請求項１乃至７のいずれかに記載の放射性物質のモニタリング装置において、ガンマ線検出器及びベータ線検出器の検出部を、測定対象である海水、河川または井戸水内に設置することを特徴とする放射性物質のモニタリング装置。
【請求項９】
請求項１乃至７のいずれかに記載の放射性物質のモニタリング装置において、測定対象である海水、河川または井戸水をポンプによって吸い上げ測定対象用容器内に流しながら、測定対象用容器の外側に設置したガンマ線検出器及びベータ線検出器の検出部分によって測定することを特徴とする放射性物質のモニタリング装置。
【請求項１０】
請求項１乃至９のいずれかに記載の放射性物質のモニタリング装置において、測定対象以外で生成したガンマ線がガンマ線検出器に入射するのを防ぎ、かつ、測定対象からのガンマ線がガンマ線検出器に入射する構造の遮体を設けたことを特徴とする放射性物質のモニタリング装置。
【請求項１１】
請求項１乃至１０のいずれかに記載の放射性物質のモニタリング装置において、ガンマ線検出部とベータ線検出部を上下または左右の位置に設置し、ガンマ線検出部とベータ線検出部を同一の容器内に、ベータ線検出部用の電圧及び信号ケーブルとガンマ線検出部用の電圧及び信号ケーブルを同一の管の中に設置することを特徴とする放射性物質のモニタリング装置。
【請求項１２】
請求項１乃至１１のいずれかに記載の放射性物質のモニタリング装置において、ガンマ線検出器、及び、ベータ線検出器を容器内に設置し、容器の材料として、海水による腐食または貝殻等の海洋性生物の付着がしにくい材料を用いる、または、容器表面に海水による腐食または貝殻等の海洋性生物が付着しにくい材料を塗布することを特徴とする放射性物質のモニタリング装置。
【請求項１３】
ガンマ線検出器からのガンマ線とベータ線を放出する第１の核種のエネルギースペクトルデータに基づいて前記第１の核種の濃度を演算し、前記第１の核種の濃度からベータ線への換算計数を用いて前記第１の核種のベータ線のエネルギースペクトルデータを推定し、ベータ線検出器の検出値に基づくエネルギースペクトルデータのうちの第２の核種に寄与する部分から前記第２の核種のエネルギースペクトルデータを推定し、前記ベータ線検出器の検出値に基づくエネルギースペクトルデータから前記推定された第１の核種のエネルギースペクトルデータと前記推定された第２の核種のエネルギースペクトルデータを除くことで、第３の核種の濃度を演算し、
前記第１の核種は、少なくともカリウム４０(K-40)、セシウム１３４(Cs-134)、セシウム１３７(Cs-137)であり、前記第２の核種は、少なくともストロンチウム９０(Sr-90)またはイットリウム９０(Y-90)であり、前記第３の核種は、トリチウム(H-3)であることを特徴とする放射性物質のモニタリング方法。
【発明の詳細な説明】
【技術分野】
【０００１】
本発明は、放射性物質のモニタリング装置に係り、特に、セシウム１３４(Cs-134)、ストロンチウム９０(Sr-90)、イットリウム９０(Y-90)等を、精度良くモニタリングするのに好適な放射性物質のモニタリング装置及び放射性物質のモニタリング方法に関する。
【背景技術】
【０００２】
従来より、測定対象物である海水または井戸水等に含まれる放射性核種濃度として、セシウム１３４(Cs-134)等のベータ線のみを放出する核種があり、また、ストロンチウム９０(Sr-90)等のベータ線と共にガンマ線を放出する核種がある。
【０００３】
これらの核種の濃度を測定するためには、例えば、ガンマ線放出核種に関しては、ガンマ線検出器を用いて波高値スペクトルを収集し、波高値スペクトル中のピーク計数率と、使用検出器の種類、測定体系等で決まる予め校正した主要な核種の濃度換算係数を用いて濃度を求めている。
【０００４】
一方、ベータ線放出核種濃度を測定する場合は、ガンマ線と共にベータ線を放出する核種の影響を受けるために、化学分離の手法を用いて目的の核種のみを抽出し、その核種からの波高値スペクトルを測定して濃度を求めていた。しかしながら、化学分離の手法を用いてサンプリングした試料から目的の核種のみを抽出して濃度測定を測定するには多大な時間を要するので、ベータ線を放出する核種と、ベータ線と共にガンマ線を放出する核種の混合物からのベータ線測定に係る計数率のなかから、予め測定したベータ線と共にガンマ線を放出する核種の影響を差し引くことで、ベータ線を放出する核種の濃度を導出する技術が知られている。このような技術は、例えば、特開2012-210317号公報に記載されている。
【先行技術文献】
【特許文献】
【０００５】
【特許文献１】特開2012-210317号公報
【発明の概要】
【発明が解決しようとする課題】
【０００６】
しかしながら、上記の従来技術では、ベータ線とガンマ線の両方を放出する核種の影響を除くことができるものの、測定対象となる試料のなかに、ベータ線を放出する核種が複数あった場合には、各々の濃度を測定することができないという問題があった。
【０００７】
本発明の目的は、測定対象となる試料のなかに、ベータ線とガンマ線の両方を放出する核種と、複数のベータ線を放出する核種が混合して含有していても各々の濃度が測定可能となる放射性物質のモニタリング装置及び放射性物質のモニタリング方法を提供することにある。
【課題を解決するための手段】
【０００８】
上記の目的を達成するための、本発明では、ガンマ線検出器からのガンマ線とベータ線を放出する第１の核種のエネルギースペクトルデータに基づいて前記第１の核種の濃度相当情報を演算し、前記第１の核種の濃度相当情報から前記第１の核種のベータ線のエネルギースペクトルデータを推定し、ベータ線検出器の検出値に基づくエネルギースペクトルデータのうちの第２の核種に寄与する部分から前記第２の核種のエネルギースペクトルデータを推定し、前記ベータ線検出器の検出値に基づくエネルギースペクトルデータから前記推定された第１の核種のエネルギースペクトルデータと前記推定された第２の核種のエネルギースペクトルデータを除くことで、第３の核種の濃度を演算するように構成する。
【発明の効果】
【０００９】
本発明によれば、特に、セシウム１３４(Cs-134)等のベータ線とガンマ線を放出する核種と、ストロンチウム９０(Sr-90)、イットリウム９０(Y-90)等の複数のベータ線を放出する核種について、各々の核種を精度良くモニタリング可能となる。
【図面の簡単な説明】
【００１０】
【図１】本発明に好適な一実施例である実施例１の放射線モニタの一例。
【図２】ガンマ線検出器の波高値スペクトルの一例。
【図３】ベータ線検出器の波高値スペクトルの一例。
【図４】ベータ線検出器の波高値スペクトルに対する各核種の寄与の一例。
【図５】ベータ線検出器の波高値スペクトルに対するベータ線のみ放出する核種の寄与の一例。
【図６】ベータ線検出器の波高値スペクトルにおける計数率を導出する領域の一例。
【図７】本発明に好適な一実施例である実施例２の放射線モニタの一例。
【図８】本発明に好適な一実施例である実施例３の放射線モニタの一例。
【図９】本発明に好適な一実施例である実施例４の放射線モニタの一例。
【図１０】本発明に好適な一実施例である実施例５の放射線モニタの一例。
【図１１】本発明に好適な一実施例である実施例６の放射線モニタの一例。
【図１２】本発明に好適な一実施例である実施例７の放射線モニタの一例。
【発明を実施するための形態】
【００１１】
初めに実施例を概念的に説明し、その後に具体的な例を説明する。
【００１２】
ガンマ線検出器とベータ線検出器を、海水、河川または井戸水等の測定対象物中に設置する。ガンマ線検出器で収集した波高値スペクトルにおけるピーク計数率と、基準となる線源試料で予め測定した使用検出器の種類、測定体系等で決まる主要な核種の濃度換算係数を用いて、核種毎の濃度を導出する。ガンマ線検出器により濃度を求めたセシウム１３４(Cs-134)、セシウム１３７(Cs-137)及びカリウム４０(K-40)等は、ガンマ線ともにベータ線を放出する核種である。従って、ガンマ線検出器で測定した核種毎の濃度と、基準となる線源試料で予め測定した使用検出器の種類、測定体系等で決まる核種の濃度から計数率への換算係数を用いて、ガンマ線検出器で測定した核種から放出されるベータ線のベータ線検出器に対する計数率を導出することができる。ベータ線検出器においては、上記ガンマ線とベータ線の両方を放出する核種からのベータ線と、ストロンチウム９０(Sr-90)、イットリウム９０(Y-90)、トリチウム(H-3)等のベータ線のみを放出する核種からのベータ線を合わせた測定値となっている。海水、河川または井戸水等に含まれるベータ線放出核種の主成分は、セシウム１３４(Cs-134)、セシウム１３７(Cs-137)及びカリウム４０(K-40)のガンマ線とベータ線を両方放出する核種と、ストロンチウム９０(Sr-90)、イットリウム９０(Y-90)及びトリチウム(H-3)のベータ線のみを放出する核種である。従って、ベータ線検出器で測定した計数率から、ガンマ線検出器の測定データから求めたセシウム１３４(Cs-134)、セシウム１３７(Cs-137)及びカリウム４０(K-40)の濃度によるベータ線検出器の計数率への寄与を差分することで、ストロンチウム９０(Sr-90)、イットリウム９０(Y-90)及びトリチウム(H-3)からのベータ線の計数率への寄与分を導出できる。トリチウム(H-3)においては、ベータ線の最大放出エネルギーが１８．６keVと低いことから、前記差分後のベータ線検出器の波高値スペクトルにおけるトリチウム(H-3)からのベータ線の最大放出エネルギーでの波高値以上の波高値領域における計数率は、ストロンチウム９０(Sr-90)、イットリウム９０(Y-90)による寄与分である。さらに、ストロンチウム９０(Sr-90)からのベータ線の最大放出エネルギーが５４６keV、イットリウム９０(Y-90)からのベータ線の最大放出エネルギーが２２７９keVであることから、前記差分後のベータ線検出器の波高値スペクトルにおけるストロンチウム９０(Sr-90)からのベータ線の最大放出エネルギーでの波高値以上の波高値領域における計数率は、イットリウム９０(Y-90)による寄与分である。以上のことから、ガンマ線検出器の測定データ及びベータ線検出器の測定データを用いることで、海水、河川または井戸水等の測定対象物内の主成分であるセシウム１３４(Cs-134)、セシウム１３７(Cs-137)、カリウム４０(K-40)、トリチウム(H-3)、ストロンチウム９０(Sr-90)及びイットリウム９０(Y-90)の濃度をオンラインでモニタリングできる。
【００１３】
以下、本発明の実施例を、図面を参照して説明する。
【実施例１】
【００１４】
本発明に好適な一実施例である実施例１の放射線モニタの構成及び機能を図１に基づいて説明する。本実施例の放射線モニタは、図１に示すようにベータ線検出器１とガンマ線検出器２とデータ演算部１０１で構成する。データ演算部１０１は、ベータ線波高値スペクトルデータ演算部３、ガンマ線波高値スペクトルデータ演算部４、ピーク計数率に対する濃度換算係数記憶部５、ベータ線のみ放出する核種によるベータ線波高値スペクトルデータ解析部６、ガンマ線放出核種の濃度データ演算部７、ガンマ線とベータ線の両方を放出する核種によるガンマ線放出核種の濃度データからベータ線検出器の波高値スペクトルへの寄与の換算係数記憶部８、ベータ線波高値スペクトルにおける指定領域の計数率に対する各核種の濃度換算係数記憶部９、各核種の濃度データ演算部１０からなる。データ演算部１０１は、具体的には、各機能を実行できるようなプログラムを格納した計算機及びモニタとして構成される。
【００１５】
被険物から放射されるベータ線はベータ線検出器１で検出され、さらに、同被険物から放射されるガンマ線はガンマ線検出器２で検出される。ベータ線波高値スペクトルデータ演算部３は、ベータ線検出器１からの信号を波高値分析することでベータ線波高値スペクトルデータに変換する。ガンマ線波高値スペクトルデータ演算部４は、ガンマ線検出器２からの信号を波高値分析することでガンマ線波高値スペクトルデータに変換する。
【００１６】
ガンマ線検出器２からの信号を波高分析したガンマ線波高値スペクトルデータは、図２に示すように核種に応じて特定のピークを持つので、ガンマ線放出核種の濃度データ演算部７は、ピーク計数率に対する濃度換算係数記憶部５に記憶されている基準となる線源試料で予め測定した使用検出器の種類、測定体系等で決まる各ピーク計数率に対する濃度換算係数を参照して（セシウム１３７(Cs-137)(662keV)、セシウム１３４(Cs-134) (795keV)、カリウム４０(K-40) (1461keV)に対応する濃度換算係数が記憶されている）、ガンマ線波高値スペクトルデータにおけるピーク部分の計数率と、核種毎の濃度を導出する。具体的には、ピーク１がセシウム１３７(Cs-137)の濃度に相当し、ピーク２がセシウム１３４(Cs-134)の濃度に相当し、ピーク３がカリウム４０(K-40)の濃度に相当するのであり、ガンマ線放出核種の濃度データ演算部７は各々の核種毎の濃度を導出する。
【００１７】
核種に応じたベータ線波高値スペクトルデータは図３に示すようなものであり、ベータ線波高値スペクトルにおける指定領域の計数率に対する各核種の濃度換算係数記憶部９に格納されている。ここで、ベータ線波高値スペクトルは特定のピークを持たないことから、そのままでは核種毎の濃度を導出することはできない。
【００１８】
ガンマ線検出器２により濃度を求めたセシウム１３４(Cs-134)、セシウム１３７(Cs-137)及びカリウム４０(K-40)等は、ガンマ線ともにベータ線を放出する核種である。ガンマ線検出器２で測定した核種毎の濃度と、基準となる線源試料で予め測定した使用検出器の種類、測定体系等で決まる核種の濃度から計数率への換算係数を用いて、ガンマ線検出器２で測定した核種から放出されるベータ線のベータ線検出器１に対する計数率の寄与分を導出する。図４にベータ線検出器の波高値スペクトルに対する各核種の寄与の一例を示す。このように、ベータ線のみ放出する核種によるベータ線波高値スペクトルデータ解析部６は、ガンマ線放出核種の濃度データ演算部７が出力するセシウム１３７(Cs-137)、セシウム１３４(Cs-134)、カリウム４０(K-40)の核種毎の濃度データについて、ガンマ線とベータ線の両方を放出する核種によるガンマ線放出核種の濃度データからベータ線検出器の波高値スペクトルへの寄与の換算係数記憶部８の記憶内容に基づいて、ガンマ線検出器で測定したガンマ線とベータ線の両方を放出する核種であるセシウム１３４(Cs-134)、セシウム１３７(Cs-137)及びカリウム４０(K-40)の寄与分を差分することで、図５に示すような（差分により導出したベータ線検出器の波高値スペクトルに対するベータ線のみ放出する核種の寄与の一例）、ベータ線のみを放出する核種によるベータ線波高値スペクトルデータが導出する。
【００１９】
前述の測定対象物中で、ベータ線のみを放出する核種の主成分は、トリチウム(H-3)、ストロンチウム９０(Sr-90)及びイットリウム９０(Y-90)である。トリチウム(H-3)、ストロンチウム９０(Sr-90)及びイットリウム９０(Y-90)からのベータ線の最大放出エネルギーは、それぞれ１８．６keV、５４６keV及び２２７９keVである。図６にベータ線検出器の波高値スペクトルにおける計数率を導出する領域の一例を示す。領域１においては、トリチウム(H-3)、ストロンチウム９０(Sr-90)及びイットリウム９０(Y-90)の全ての核種の寄与がある。一方、領域２においては、ストロンチウム９０(Sr-90)及びイットリウム９０(Y-90)の寄与のみであり、領域３においては、イットリウム９０(Y-90)の寄与のみである。
【００２０】
したがって、濃度データ演算部１０は、イットリウム９０(Y-90)に対応した図３に示すベータ線波高値スペクトルにおける指定領域の計数率に対する各核種の濃度換算係数記憶部９の記憶内容を参照することで、図６に示すように、領域３における計数率と、ベータ線波高値スペクトルにおける指定領域の計数率に対する核種の濃度換算係数記憶部９の記憶されている記憶内容を用いて、線源試料で予め測定した使用検出器の種類、測定体系等で決まる核種の濃度に基づいて、計数率への換算係数を用いてイットリウム９０(Y-90)の濃度を導出する。また、同様に、前記で導出したイットリウム９０(Y-90)の濃度に基づき、推定されるイットリウム９０(Y-90)のベータ線波高値スペクトルを減算することで、ベータ線波高値スペクトルにおける指定領域の計数率に対する核種の濃度換算係数記憶部９の記憶されている内容を利用して、基準となる線源試料で予め測定した使用検出器の種類、測定体系等で決まる核種の濃度から計数率への換算係数、及び、領域２における計数率から、ストロンチウム９０(Sr-90)の濃度を導出する。同様に、前記で導出したストロンチウム９０(Sr-90)とイットリウム９０(Y-90)の濃度に基づき、推定されるストロンチウム９０(Sr-90) とイットリウム９０(Y-90)のベータ線波高値スペクトルを減算することで、基準となる線源試料で予め測定した使用検出器の種類、測定体系等で決まる核種の濃度から計数率への換算係数、及び、領域１における計数率から、トリチウム(H-3)の濃度を導出する。
【００２１】
以上のことから、測定対象物中の主成分であるセシウム１３４(Cs-134)、セシウム１３７(Cs-137)及びカリウム４０(K-40)、トリチウム(H-3)、ストロンチウム９０(Sr-90)及びイットリウム９０(Y-90)の濃度をオンラインで導出可能となる。
【実施例２】
【００２２】
本発明に好適な一実施例である実施例２の放射線モニタの一例を図７に基づいて説明する。ガンマ線検出部用容器２５内にガンマ線検出部２１を設置し、測定対象物３０内に設置する。ガンマ線検出部２１に電圧を供給し信号を収集するためのガンマ線検出部用電圧及び信号ケーブル２３をガンマ線検出部用電圧及び信号ケーブル用管２３内に設置し、測定対象物３０と接触しないものとする。ガンマ線検出部２１からの信号は、測定対象物３０の外に設置したガンマ線測定部２２で測定する。同様に、ベータ線検出部用容器１６内にベータ線検出部１１を設置し、測定対象物３０内に設置する。ベータ線検出部１１に電圧を供給し信号を収集するためのベータ線検出部用電圧及び信号ケーブル１３をベータ線検出部用電圧及び信号ケーブル用管１４内に設置し、測定対象物３０と接触しないものとする。ベータ線検出部１１からの信号は、測定対象物３０の外に設置したベータ線測定部１２で測定する。ベータ線検出部用容器１６の一部にベータ線検出部と測定対象物間の膜状の遮光兼遮蔽部分１５を設け、膜状物質の厚さを薄くすることでエネルギーの低いベータ線が測定可能となる。膜状物質には、薄くて耐圧性を高い材料である炭素繊維材等を用いる。
【実施例３】
【００２３】
本発明に好適な一実施例である実施例３の放射線モニタの一例を図８に基づいて説明する。実施例２に示す放射線モニタのガンマ線検出部２１とベータ線検出部１１の外部に、測定対象以外のバックグラウンド源６０からのバックグラウンドを低減するために、測定対象以外のバックグラウンドからのガンマ線遮蔽用遮蔽体５０を設置する。測定対象以外のバックグラウンドからのガンマ線遮蔽用遮蔽体５０を設置することで、ガンマ線のバックグラウンドが低減でき、精度の良いガンマ線放出核種濃度測定が可能となる。ガンマ線遮蔽用遮蔽体５０の材料としては、ガンマ線遮蔽性能の高い鉛またはタングステンを用いるものとする。
【実施例４】
【００２４】
本発明に好適な一実施例である実施例４の放射線モニタの一例を図９に基づいて説明する。実施例２に示す放射線モニタのガンマ線検出部２１とベータ線検出部１１を上下方向に設置し、ガンマ線検出部用電圧及び信号ケーブル用管２３とベータ線検出部用電圧及び信号ケーブル用管１４を共用とする。共用管の内部にガンマ線検出部用電圧及び信号ケーブル２３とベータ線検出部用電圧及び信号ケーブル１３を設置することで、放射線モニタを小型化できる。
【実施例５】
【００２５】
本発明に好適な一実施例である実施例５の放射線モニタの一例を図１０に基づいて説明する。測定対象物３０をポンプ６０で汲み上げサンプリングし、測定対象物３０の外に設置した測定対象物用容器７０内に導入する。サンプリングした測定対象物３０は、測定後、測定対象物３０に戻す。測定対象物用容器７０を挟むような配置に、ガンマ線検出部用容器２５内に設置したガンマ線検出部２１と、ベータ線検出部用容器１６内に設置したベータ線検出部１６を設置する。ベータ線検出部用容器１６の一部にベータ線検出部と測定対象物間の膜状の遮光兼遮蔽部分１５を設け、測定対象物容器７０の容器壁の一部と共用とする。共用とすることでエネルギーの低いベータ線が測定可能となる。
【実施例６】
【００２６】
本発明に好適な一実施例である実施例６の放射線モニタの一例を図１１に基づいて説明する。測定対象物３０をポンプ６０で汲み上げサンプリングし、測定対象物３０の外に設置した測定対象物用容器７０内に導入する。サンプリングした測定対象物３０は、測定後、測定対象物３０に戻す。測定対象物用容器７０の上部または下部に、隣り合う配置に、ガンマ線検出部用容器２５内に設置したガンマ線検出部２１と、ベータ線検出部用容器１６内に設置したベータ線検出部１６を設置する。実施例５と同様に、ベータ線検出部用容器１６の一部にベータ線検出部と測定対象物間の膜状の遮光兼遮蔽部分１５を設け、測定対象物容器７０の容器壁の一部と共用とする。共用とすることでエネルギーの低いベータ線が測定可能となる。
【実施例７】
【００２７】
本発明に好適な一実施例である実施例７の放射線モニタの一例を図１２に基づいて説明する。測定対象物３０をポンプ６０で汲み上げサンプリングし、測定対象物３０の外に設置した測定対象物用容器７０内に導入する。サンプリングした測定対象物３０は、測定後、測定対象物３０に戻す。測定対象物用容器７０の上部または下部に、隣り合う配置に、ガンマ線検出部用容器２５内に設置したガンマ線検出部２１と、ベータ線検出部用容器１６内に設置したベータ線検出部１６を設置する。ガンマ線検出部用容器２５内に設置したガンマ線検出部２１と、ベータ線検出部用容器１６内に設置したベータ線検出部１６の外部に、測定対象以外のバックグラウンド源６０からのバックグラウンドを低減するために、測定対象以外のバックグラウンドからのガンマ線遮蔽用遮蔽体５０を設置する。測定対象以外のバックグラウンドからのガンマ線遮蔽用遮蔽体５０を設置することで、ガンマ線のバックグラウンドが低減でき、精度の良いガンマ線放出核種濃度測定が可能となる。ガンマ線遮蔽用遮蔽体５０の材料としては、ガンマ線遮蔽性能の高い鉛またはタングステンを用いるものとする。
【符号の説明】
【００２８】
１…ベータ線検出器、２…ガンマ線検出器、３…ベータ線波高値スペクトルデータ演算部、４…ガンマ線波高値スペクトルデータ演算部、５…ピーク計数率に対する濃度換算係数記憶部、６…ベータ線のみ放出する核種によるベータ線波高値スペクトルデータ解析部、７…ガンマ線放出核種の濃度データ演算部、８…ガンマ線とベータ線の両方を放出する核種によるガンマ線放出核種の濃度データからベータ線検出器の波高値スペクトルへの寄与の換算係数記憶部、９…ベータ線波高値スペクトルにおける指定領域の計数率に対する各核種の濃度換算係数記憶部、１０…各核種の濃度データ演算部、１１…ベータ線検出部、１２…ベータ線測定部、１３…ベータ線検出部用電圧及び信号ケーブル、１４…ベータ線検出部用電圧及び信号ケーブル用管、１５…ベータ線検出部と測定対象物間の膜状の遮光兼遮蔽部分、１６…ベータ線検出部用容器、２１…ガンマ線検出部、２２…ガンマ線測定部、２３…ガンマ線検出部用電圧及び信号ケーブル、２４…ガンマ線検出部用電圧及び信号ケーブル用管、２５…ガンマ線検出部用容器、３０…測定対象物、４０…測定対象物以外のバックグラウンド源、５０…測定対象以外のバックグラウンドからのガンマ線遮蔽用遮蔽体、６０…ポンプ、７０…測定対象物用容器
【図１】
0006475931.tif 000002
【図２】
0006475931.tif 000003
【図３】
0006475931.tif 000004
【図４】
0006475931.tif 000005
【図５】
0006475931.tif 000006
【図６】
0006475931.tif 000007
【図７】
0006475931.tif 000008
【図８】
0006475931.tif 000009
【図９】
0006475931.tif 000010
【図１０】
0006475931.tif 000011
【図１１】
0006475931.tif 000012
【図１２】
0006475931.tif 000013